(57)【要約】 【課題】サブ表示パネルが浮き出した２方向表示装置を提供する。【解決手段】表示装置１００はバックライト組立体１１０、表示パネルユニット及び調節部材を含む。表示パネルユニットは、第１及び第２表示パネル１２０，１３０を含み第１及び第２光の提供を受け第１及び第２画像を表示する。調節部材は、バックライト組立体と第１表示パネルとの間の間隔を調節する。調節部材が第１表示パネルを支持するモールドフレーム１４０の場合、間隔はモールドフレームの支持部の厚さを調節することによって変化させることができる。調節部材が収納容器の底板１８２上に形成された突出部の場合、間隔は突出部の高さを調節することによって変化させることができる。【選択図】    図２
2006119563.tif 000002
【特許請求の範囲】
【請求項１】
第１光及び第２光を出射するバックライト組立体と、
前記第１及び第２光の提供を受け第１及び第２画像を表示する表示パネルユニットと、
前記バックライト組立体と前記表示パネルユニットの少なくとも一部との間の間隔を調節する調節部材と、
を含む表示装置。
【請求項２】
前記表示パネルユニットは、
前記バックライト組立体の一側に配置され、前記バックライト組立体から出射した前記第１光の提供を受け前記第１画像を表示する第１表示パネルと、
前記バックライト組立体の他側に配置され、前記バックライト組立体から出射した前記第２光の提供を受け前記第２画像を表示する第２表示パネルと、を含むことを特徴とする請求項１記載の表示装置。
【請求項３】
前記第１及び第２表示パネルを収納し、底板を有する収納容器をさらに含むことを特徴とする請求項２記載の表示装置。
【請求項４】
前記調節部材は、前記底板から前記第１表示パネルまでの間隔を調節することを特徴とする請求項３記載の表示装置。
【請求項５】
前記収納容器は、
前記第１表示パネルを収納する第１収納空間と、
前記第２表示パネルを収納する第２収納空間と、を含むことを特徴とする請求項３記載の表示装置。
【請求項６】
前記調節部材は、前記第１収納空間に配置されて前記第１表示パネルを支持するモールドフレームであることを特徴とする請求項５記載の表示装置。  
【請求項７】
前記モールドフレームは、
前記第１表示パネルを支持し、第１厚さを有する支持部と、
前記支持部から延長し前記第１表示パネルを収納する空間を提供する側壁と、を含むことを特徴とする請求項６記載の表示装置。
【請求項８】
前記間隔は、前記第１厚さを調節することによって変化させることができることを特徴とする請求項７記載の表示装置。
【請求項９】
前記モールドフレームは、前記支持部上に配置され前記第１表示パネルと結合し第２厚さを有するテープパネルをさらに含むことを特徴とする請求項７記載の表示装置。
【請求項１０】
前記間隔は、前記第１厚さ及び前記第２厚さを調節することによって変化させることができることを特徴とする請求項９記載の表示装置。
【請求項１１】
前記調節部材は、前記収納容器上に配置され、前記第１表示パネルと前記収納容器とを結合するテープパネルであることを特徴とする請求項３記載の表示装置。
【請求項１２】
前記テープパネルは、
第３厚さを有する第１サブテープパネルと、
前記第１サブテープパネル上に積層され、第４厚さを有する間隔層と、
前記間隔層上に積層され、第５厚さを有する第２サブテープパネルと、を含むことを特徴とする請求項１１記載の表示装置。
【請求項１３】
前記間隔は、前記第３厚さ、前記第４厚さ及び前記第５厚さのうち、少なくとも一つを調節することによって変化させることができることを特徴とする請求項１２記載の表示装置。
【請求項１４】
前記間隔層は、ポリエチレン・テレフタレートを含むことを特徴とする請求項１２記載の表示装置。
【請求項１５】
前記調節部材は、前記収納容器の前記底板上に形成され前記第１表示パネルを支持する突出部であることを特徴とする請求項３記載の表示装置。
【請求項１６】
前記突出部は、前記底板と一体に形成されることを特徴とする請求項１５記載の表示装置。
【請求項１７】
前記突出部の一側は前記底板に接合され、前記突出部の他側が前記底板と離れるように形成されていることを特徴とする請求項１５記載の表示装置。  
【請求項１８】
前記間隔は、前記突出部の高さを調節することによって変化させることができることを特徴とする請求項１５記載の表示装置。  
【請求項１９】
前記第１表示パネルと前記突出部とは、第６厚さを有するテープパネルによって結合されることを特徴とする請求項１５記載の表示装置。
【請求項２０】
前記間隔は、前記突出部の高さ及び前記第６厚さを調節することによって変化させることができることを特徴とする請求項１９記載の表示装置。
【請求項２１】
前記バックライト組立体は、
光を発生する発光ダイオードと、
前記発光ダイオードから入射する前記光をガイドしてそれぞれ前記第１及び第２光を出射する導光板と、を含むことを特徴とする請求項１記載の表示装置。
【請求項２２】
前記バックライト組立体は、前記第１光が出射される前記導光板の一側に配置され、前記第１光の一部を透過し、前記第１光の一部を前記導光板の方向に反射する反射透過シートをさらに含むことを特徴とする請求項２１記載の表示装置。  
【請求項２３】
前記反射透過シートは、前記第１光の５０％以下を透過することを特徴とする請求項２２記載の表示装置。
【請求項２４】
前記導光板は、前記第１光を出射する第１導光板と、前記第２光を出射する第２導光板と、を含むことを特徴とする請求項２１記載の表示装置。
【請求項２５】
前記バックライト組立体は、前記第１導光板と前記第２導光板との間に反射板をさらに含むことを特徴とする請求項２４記載の表示装置。
【請求項２６】
前記第１及び第２表示パネルのそれぞれは、
マトリックス状に配置された画素電極と、前記画素電極に駆動電圧を印加する薄膜トランジスタとを含む薄膜トランジスタ基板と、
前記画素電極と対向して配置されたカラーフィルターと、カラーフィルター上に形成された共通電極とを含むカラーフィルター基板と、
前記薄膜トランジスタ基板と前記カラーフィルター基板との間に介在した液晶層と、を含むことを特徴とする請求項２記載の表示装置。
【請求項２７】
第１光及び第２光を出射するバックライト組立体と、
前記バックライト組立体の一側に配置され、前記バックライト組立体から出射した前記第１光の提供を受け第１画像を表示する第１液晶表示パネルと、
前記バックライト組立体の他側に配置され、前記バックライト組立体から出射した前記第２光の提供を受け第２画像を表示する第２液晶表示パネルと、
前記第１液晶表示パネルと第２液晶表示パネルとを収納し、底板を有する収納容器と、
前記収納容器の一側に配置され、前記第１液晶表示パネルを支持するモールドフレームと、
を含み、
前記モールドフレームは前記バックライト組立体と前記第１液晶表示パネルとの間の間隔を変化させることができることを特徴とする液晶表示装置。
【請求項２８】
前記モールドフレームは、
前記第１液晶表示パネルを支持し、第１厚さを有する支持部と、
前記支持部から延長し前記第１液晶表示パネルを収納する空間を提供する側壁と、
前記支持部上に配置され前記第１液晶表示パネルと結合し、第２厚さを有するテープパネルと、を含むことを特徴とする請求項２７記載の液晶表示装置。
【請求項２９】
前記間隔は、前記第１厚さ及び第２厚さを調節することによって変化させることができることを特徴とする請求項２８記載の液晶表示装置。
【請求項３０】
第１光及び第２光を出射するバックライト組立体と、
前記バックライト組立体の一側に配置され、前記バックライト組立から出射した前記第１光の提供を受け、第１画像を表示する第１液晶表示パネルと、
前記バックライト組立体の他側に配置され、前記バックライト組立体から出射した前記第２光の提供を受け、第２画像を表示する第２液晶表示パネルと、
前記第１液晶表示パネルと第２液晶表示パネルとを収納し、底板を有する収納容器と、
を含み
前記収納容器は前記バックライト組立体と前記第１液晶表示パネルとの間の間隔を変化させることができることを特徴とする液晶表示装置。
【請求項３１】
前記収納容器は、前記第１液晶表示パネルと結合するテープパネルをさらに含むことを特徴とする請求項３０記載の液晶表示装置。
【請求項３２】
前記テープパネルは、
第１厚さを有する第１サブテープパネルと、
前記第１サブテープパネル上に積層され、第２厚さを有する間隔層と、
前記間隔層上に積層され、第３厚さを有する第２サブテープパネルと、を含むことを特徴とする請求項３１記載の液晶表示装置。
【請求項３３】
前記間隔は、前記第１厚さ、前記第２厚さ及び前記第３厚さのうち、少なくとも一つを調節することによって変化させることができることを特徴とする請求項３２記載の液晶表示装置。
【請求項３４】
前記収納容器は、前記底板上に形成され前記第１液晶表示パネルを支持する突出部をさらに含むことを特徴とする請求項３０記載の液晶表示装置。
【請求項３５】
前記間隔は、前記突出部の高さを調節することによって変化させることができることを特徴とする請求項３４記載の液晶表示装置。
【請求項３６】
前記第１液晶表示パネル及び前記突出部は、第４厚さを有するテープパネルによって結合されることを特徴とする請求項３４記載の液晶表示装置。
【請求項３７】
前記間隔は、前記突出部の高さ及び前記第４厚さを調節することによって変化させることができることを特徴とする請求項３６記載の液晶表示装置。
【請求項３８】
第１光及び第２光を出射するバックライト組立体と、
前記バックライト組立体の一側に配置され、前記バックライト組立体から出射した前記第１光の提供を受け第１画像を表示する第１液晶表示パネルと、  
前記バックライト組立体の他側に配置され、前記バックライト組立体から出射した前記第２光の提供を受け第２画像を表示する第２液晶表示パネルと、
前記第１及び第２液晶表示パネルを収納する収納容器と、を含み、
前記収納容器は底板、及び前記底板から延長し前記第１液晶表示パネルを収納する側部拘束部材を含むことを特徴とする液晶表示装置。
【請求項３９】
前記収納容器の一側に配置され前記第１液晶表示パネルを支持するモールドフレームをさらに含み、前記モールドフレームは前記側部拘束部材とフック式係合で結合されることを特徴とする請求項３８記載の液晶表示装置。
【請求項４０】
前記側部拘束部材は、前記第１液晶表示パネルを支持し、前記収納容器は前記第１液晶表示パネルと前記収納容器とを結合する結合部材をさらに含むことを特徴とする請求項３８記載の液晶表示装置。
【請求項４１】
前記バックライト組立体は、
光を発生する発光ダイオードと、
前記発光ダイオードから入射する前記光をガイドしてそれぞれ前記第１及び第２光を出射する導光板と、を含むことを特徴とする請求項３８記載の液晶表示装置。
【請求項４２】
前記バックライト組立体は、前記第１光が出射される前記導光板の一側に配置され、前記第１光の一部を透過し、前記第１光の一部を前記導光板の方向に反射する反射透過シートをさらに含むことを特徴とする請求項４１記載の液晶表示装置。
【請求項４３】
前記導光板は、前記第１光を出射する第１導光板と、前記第２光を出射する第２導光板と、を含むことを特徴とする請求項４１記載の液晶表示装置。
【発明の詳細な説明】
【技術分野】
【０００１】
本発明は表示装置に関し、より詳細には表示パネルの高さを調節することができる表示装置に関する。本発明は特に表示パネルを液晶表示パネルとした液晶表示装置に対し好適に適用することができる。
【背景技術】
【０００２】
一般に、液晶表示装置は液晶の電気的特性及び光学的特性を用いて画像を表示する。前記液晶表示装置は、ＣＲＴなどに比べて体積が非常に小さくて軽いという長所を有し、その結果、携帯用コンピュータ、通信機器、液晶ＴＶなどに幅広く使用されている。
前記液晶を制御するために、前記液晶表示装置は、前記液晶を制御する液晶制御部及び前記液晶に光を供給する光供給部を必要とする。具体的に、前記液晶表示装置は、前記液晶制御部である液晶表示パネル及び前記光供給部であるバックライト組立体を含むことができる。
最近では、２つの方向に表示することができる液晶表示装置が中小型機器などに幅広く使用されている。前記液晶表示装置は２つの液晶表示パネルを含む。即ち、前記液晶表示装置は、メイン液晶表示パネル及びサブ液晶表示パネルを含む。一般に、前記サブ液晶表示パネルは前記メイン液晶表示パネルより小さい大きさを有する。
【０００３】
このような液晶表示装置において、デザインの重要性が最近になって益々増加している。例えば、前記サブ液晶表示パネルを浮き立たせるための試みが行われている。このような前記サブ液晶表示パネルの視覚的効果を得るために、前記サブ液晶表示パネルの高さを前記液晶表示装置の厚さの方向に増加させることが要請される。しかし、従来の液晶表示装置は小さく軽いものが求められていたために前記メイン及びサブの液晶表示パネルを収納容器上に配置することについては、前記液晶表示パネルの高さが低くなるように設計されてきた。
従って、従来の液晶表示装置は、前記サブ液晶表示パネルの高さを前記液晶表示装置の厚さ方向に増加させるような手段は備えておらず、前記サブ液晶表示パネルを浮き立たせることができないという問題点を有し、前記液晶表示装置のデザインに対する要請を満たせないという問題点を有する。
【発明の開示】
【発明が解決しようとする課題】
【０００４】
従って、本発明の第１目的は、表示パネルの高さを調節ことができる表示装置を提供することにある。
本発明の第２目的は、液晶表示パネルの高さを調節することができる液晶表示装置を提供することにある。
本発明の第３目的は、サブ液晶表示パネルを載置させることができる液晶表示装置を提供することにある。  
【課題を解決するための手段】
【０００５】
前述した本発明の第１目的を達成するための表示装置は、バックライト組立体、表示パネルユニット及び調節部材を含む。前記バックライト組立体は、第１光及び第２光を出射する。前記表示パネルユニットは、前記第１及び第２光の提供を受け第１及び第２画像を表示する。例えば、前記表示パネルユニットは第１及び第２表示パネルを含む。前記第１表示パネルは、前記バックライト組立体の一側に配置され、前記バックライト組立体から出射した前記第１光の提供を受け、前記第１画像を表示する。前記第２表示パネルは、前記バックライト組立体の他側に配置され、前記バックライト組立体から出射した前記第２光の提供を受け、前記第２画像を表示する。前記調節部材は、前記バックライト組立体と前記表示パネルユニットの少なくとも一部との間の間隔を調節する。前記調節部材は、例えば、前記バックライト組立体と前記第１表示パネルとの間の間隔を調節する。前記調節部材は、前記第１表示パネルを支持するモールドフレームであることができる。前記間隔は、前記モールドフレームの支持部の厚さを調節することによって変化させることができる。前記表示装置は収納容器をさらに含むことができる。この場合、前記調節部材は前記収納容器上に配置され前記第１表示パネルと前記収納容器とを結合するテープパネルであることができる。前記間隔は、テープパネルの厚さを調節することによって変化させることができる。また、前記調節部材は、前記収納容器の底板上に形成されて前記第１表示パネルを支持する突出部であることができる。前記間隔は前記突出部の高さを調節することによって変化させることができる。
【０００６】
前述した本発明の第２目的を達成するための一特徴による液晶表示装置は、バックライト組立体、第１液晶表示パネル、第２液晶表示パネル、収納容器及びモールドフレームを含む。前記バックライト組立体は、第１光及び第２光を出射する。前記第１液晶表示パネルは、前記バックライト組立体の一側に配置され、前記バックライト組立体から出射した前記第１光の提供を受け第１画像を表示する。前記第２液晶表示パネルは、前記バックライト組立体の他側に配置され、前記バックライト組立体から出射した前記第２光の提供を受け第２画像を表示する。前記収納容器は、前記第１及び第２液晶表示パネルを収納し、底板を有する。前記モールドフレームは、前記収納容器の一側に配置され、前記第１液晶表示パネルを支持する。前記モールドフレームは、前記バックライト組立体と前記第１液晶表示パネルとの間隔を調節する。
【０００７】
前述した本発明の第２目的を達成するための他の特徴による液晶表示装置は、バックライト組立体、第１液晶表示パネル、第２液晶表示パネル及び収納容器を含む。前記バックライト組立体は、第１光及び第２光を出射する。前記第１液晶表示パネルは、前記バックライト組立体の一側に配置され、前記バックライト組立体から出射した前記第１光の提供を受け、第１画像を表示する。前記第２液晶表示パネルは、前記バックライト組立体の他側に配置され、前記バックライト組立体から出射した前記第２光の提供を受け第２画像を表示する。前記収納容器は、前記第１及び第２液晶表示パネルを収納し、底板を有する。前記収納容器は、前記バックライト組立体と前記第１液晶表示パネルとの間の間隔を調節する。
【０００８】
本発明の第３目的を達成するための液晶表示装置は、バックライト組立体、第１液晶表示パネル、第２液晶表示パネル及び収納容器を含む。前記バックライト組立体は、第１光及び第２光を出射する。前記第１液晶表示パネルは、前記バックライト組立体の一側に配置され、前記バックライト組立体から出射した前記第１光の提供を受け、第１画像を表示する。前記第２液晶表示パネルは、前記バックライト組立体の他側に配置され、前記バックライト組立体から出射した前記第２光の提供を受け、第２画像を表示する。前記収納容器は、前記第１及び第２液晶表示パネルを収納する。前記収納容器は底板及び前記底板から延長し前記第１液晶表示パネルを収納する側部拘束部材を含む。前記液晶表示装置は、前記収納容器の一側に配置され前記第１液晶表示パネルを支持するモールドフレームをさらに含むことができる。この場合、前記モールドフレームは、前記側部拘束部材とフック式係合で結合されることができる。一方、前記側部拘束部材が前記第１液晶表示パネルを直接支持する場合、前記収納容器は、前記第１液晶表示パネルと前記収納容器とを結合する結合部材をさらに含むことができる。
本発明によると、前記バックライト組立体と前記液晶表示パネルとの間に調節部材を置いて間隔を調節することができる。即ち、前記第１及び第２液晶表示パネルの高さを厚さ方向に調節して、表示パネルを浮き立たせることができ、表示装置のデザインに対する要請を充足させることができる。
【発明を実施するための最良の形態】
【０００９】
以下、図面を参照して本発明の望ましい一実施形態をより詳細に説明する。
図１は本発明による表示装置の概略図である。
図１に示すように、表示装置１０は、バックライト組立体１１、第１表示パネル１２、第２表示パネル１３及び調節部材１４を含む。
バックライト組立体１１は、第１光５０及び第２光６０を出射する。例えば、第１光５０及び第２光６０は概ね反対方向に指向される。
第１及び第２表示パネル１２、１３は、それぞれ第１及び第２光５０、６０の提供を受け第１及び第２画像を表示する。第１表示パネル１２は、バックライト組立体１１の一側に配置され、バックライト組立体１１から出射した第１光５０の提供を受け、前記第１画像を表示する。第２表示パネル１３は、バックライト組立体１１の他側に配置され、バックライト組立体１１から出射した第２光６０の提供を受け前記第２画像を表示する。  
【００１０】
調節部材１４は、バックライト組立体１１と第１及び第２表示パネル１２、１４の一方又は両方との間に配置され、バックライト組立体１１と第１及び第２表示パネル１２、１３との間の間隔を調節するものである。調節部材１４は、図示の例では、バックライト組立体１１と第１表示パネル１２との間の間隔を調節するように設けられているが、調節部材１４はバックライト組立体１１と第２表示パネル１３との間の間隔を調節するように設けることもできる。  
【実施例１】
【００１１】
図２は本発明の第１実施形態による液晶表示装置の分解斜視図であり、図３は図２の第１液晶表示パネル及び収納容器をＩ−Ｉ’線に沿って切断した部分断面図である。図２及び図３において、同一の部材については同一の参照符号を使用する。
図２及び図３に示すように、液晶表示装置１００は、バックライト組立体１１０、第１液晶表示パネル１２０、第２液晶表示パネル１３０、第１モールドフレーム１４０、第２モールドフレーム１５０、第１光学シート１６０、第２光学シート１７０及び収納容器１８０を含む。
バックライト組立体１１０は、発光ダイオード１１２、導光板１１６及び印刷回路基板１１４を含む。
発光ダイオード１１２は、外部電源から電力供給を受け光を発生する。例えば、前記発光ダイオード１１２は白色光を発生する白色光発光ダイオードを含むことができる。
【００１２】
発光ダイオード１１２は、印刷回路基板１１４に電気的に連結され、外部から電力を供給することができる。
導光板１１６は概ね平坦な所定厚さの多角形平板形状を有する。導光板１１６は第１光出射面１１６ａ及び第２光出射面１１６ｂを含む。導光板１１６は、発光ダイオード１１２から発生した前記光を水平な方向に沿ってガイドして第１光出射面１１６ａに第１光を出射し、第２光出射面１１６に第２光を出射する。導光板１１６は、発光ダイオード１１２から発生した点光源形態の光分布を有する光を面光源形態の光分布を有する光に変更する。導光板１１６は、平板型導光板であるので、導光板１１６は発光ダイオード１１２と隣接する一側から前記一側と対向する他側まで均一な厚さを有する。
【００１３】
また、導光板１１６は、ウェッジ型導光板とすることもできる。即ち、導光板１１６は発光ダイオード１１２と隣接する一側から前記一側と対向する他側に向かうほど厚さが減少することができる。  
バックライト組立体１１０は、前記第１光が出射される導光板１１６の第１光出射面１１６ａ上部に配置された反射透過シート（図示せず）をさらに含むことができる。前記反射透過シートは前記第１光を選択的に反射したり、透過したりすることができる。即ち、前記反射透過シートは、前記第１光の一部を透過し、前記第１光の一部を導光板１１６の方向に反射する。本実施形態において、第１液晶表示パネル１２０は第２液晶表示パネル１３０より小さいので、前記第１光は、前記第２光より少ない光量が要求される。従って、前記反射透過シートは、前記第１光の５０％以下を透過することが望ましい。例えば、前記反射透過シートは、大略前記第１光の３０％を透過し、前記第１光の７０％を反射することができる。
【００１４】
本実施形態においては、バックライト組立体１１０は一つの導光板１１６を含むものを例示しているが、これに限らず、導光板１１６は、発光ダイオード１１２から発生した前記光を水平な方向に沿ってガイドして第１光出射面１１６ａに前記第１光を出射する第１導光板(図示せず)と、発光ダイオード１１２から発生した前記光を水平な方向に沿ってガイドして第２光出射面１１６ｂに前記第２光を出射する第２導光板(図示せず)と、を含むものとすることもできる。この場合、バックライト組立体１１０は前記第１導光板と第２導光板との間に反射板(図示せず)をさらに含むことができる。前記反射板は、発光ダイオード１１２から発生して前記第１及び第２導光板によってガイドされる光のうち、漏洩して前記反射板に向かう光をそれぞれ前記第１及び第２導光板の方向に反射する。
【００１５】
第１及び第２液晶表示パネル１２０、１３０は、それぞれ第１及び第２光の提供を受け第１及び第２画像を表示する。第１及び第２液晶表示パネル１２０、１３０はそれぞれ導光板１１６の第１及び第２光出射面１１６ａ、１１６ｂの側に配置され、前記第１及び第２光の提供を受け前記第１及び第２画像を表示する。
第１液晶表示パネル１２０は、薄膜トランジスタ（ＴＦＴ）基板１２２、カラーフィルター基板１２４及び液晶層(図示せず)を含む。ＴＦＴ基板１２２は、マトリックス状に配置された画素電極(図示せず)、前記画素電極に駆動電圧を印加する薄膜トランジスタ(図示せず)、ゲートライン(図示せず)及びデータライン(図示せず)を含む。カラーフィルター基板１２４は、ＴＦＴ基板１２２に形成された前記画素電極と対向して配置されたカラーフィルター(図示せず)、前記カラーフィルター上に形成された共通電極(図示せず)を含む。前記液晶層はＴＦＴ基板１２２とカラーフィルター基板１２４との間に介在する。
【００１６】
ＴＦＴ基板１２２及びカラーフィルター基板１２４上には、それぞれ第１偏光板１２６及び第２偏光板１２８が配置される。第１及び第２偏光板１２６、１２８は、前記液晶層の配向方向に沿ってＴＦＴ基板１２２とカラーフィルター基板１２４それぞれの外面において外部光の透過方向を一定にする。第１及び第２偏光板１２６、１２８は偏光軸が互いに垂直になるように設置する。
第２液晶表示パネル１３０は、第１液晶表示パネル１２０と実質的に同一の構造及び機能を有する。本実施形態において、第１液晶表示パネル１２０は第２液晶表示パネル１３０より小さい大きさを有する。即ち、第１画像は前記第２画像より小さい大きさを有する。
【００１７】
第１及び第２モールドフレーム１４０、１５０は額縁のような矩形枠形状を有する。第１及び第２モールドフレーム１４０，１５０はそれぞれ第１及び第２液晶表示パネル１２０、１３０を収納して支持する。本実施形態において、第１液晶表示パネル１２０が第２液晶表示パネル１３０より小さいので、第１モールドフレーム１４０は第２モールドフレーム１５０より小さい。
第１モールドフレーム１４０は、第１液晶表示パネル１２０を支持する支持部１４２と、支持部１４２から第１液晶表示パネル１２０方向に延長された側壁１４４とを含む。第１モールドフレーム１４０は、支持部１４２上にテープパネル１４６を含み該テープパネルを介し第１液晶表示パネル１２０及び第１モールドフレーム１４０を結合する。テープパネルは可撓性を有した薄い板状体で接着性又は粘着性を有しこれに接したものの移動を阻止する部材である。
【００１８】
第２モールドフレーム１５０は、第１及び第２光学シート１６０、１７０を収納して支持する。
第１及び第２光学シート１６０、１７０は、それぞれ第１及び第２光出射面１１６ａ、１１６ｂの上部及び下部に配置される。第１及び第２光学シート１６０、１７０は、それぞれ拡散シート、プリズムシート、輝度強化フィルム（ＤＢＥＦ：Dual Brightness Enhancement Film）などを含むことができる。前記拡散シートは、輝度均一性を向上させ、前記プリズムシートは視野角低下を改善する。前記輝度強化フィルムは輝度を向上させて光視野角を広くする。
収納容器１８０は底板１８２、複数の側部拘束部材１８４及び複数の側壁１８６を含む。収納容器１８０の中央部には開口部１８８が形成される。
側部拘束部材１８４は、開口部１８８のエッジに沿って底板１８２から延長されて第１収納空間を提供する。前記第１収納空間には第１液晶表示パネル１２０及びこれを支持する第１モールドフレーム１４０が収納される。第１モールドフレーム１４０と側部拘束部材１８４とは、所定の結合手段によって結合されることができる。例えば、第１モールドフレーム１４０の側壁１４４の外面には、突出部(図示せず)が形成されることができ、側部拘束部材１８４にはそれを受ける凹部又は孔(図示せず)が形成されこれらの係合で両者を結合することができる。かかる突出部とそれを受ける凹部あるいは孔との係合による結合を、便宜上フック式の係合による結合と称する。
【００１９】
側壁１８６は底板１８２と一体に形成され、底板１８２から延長され第２収納空間を提供する。前記第２収納空間にはバックライト組立体１１０、第２液晶表示パネル１３０、第２モールドフレーム１５０、第１光学シート１６０及び第２光学シート１７０が収納される。
本実施形態において、第１液晶表示パネル１２０と収納容器１８０との間の間隔を調節する調節部材は第１モールドフレーム１４０の支持部１４２である。
図３に示すように、第１モールドフレーム１４０の支持部１４２及びテープパネル１４６はそれぞれ第１厚さｔ１及び第２厚さｔ２を有する。収納容器１８０の底板１８２と第１液晶表示パネル１２０との間の間隔は、第１及び第２厚さｔ１、ｔ２を調節することによって変化させることができる。特に、テープパネル１４６の第２厚さｔ２は、比較的薄いので、前記間隔は主として支持部１４２の第１厚さｔ１を調節することによって変化させることができる。
本実施形態によると、液晶表示装置のバックライト組立体と液晶表示パネルとの間に調節部材をおいて間隔を調節することができる。特に、小さい方の液晶表示パネルを必要な高さに収納容器から離隔することで、前記液晶表示パネルを浮き立たせることができ、前記液晶表示装置のデザインに対する要請を満たせることができる。
【実施例２】
【００２０】
図４は本発明の第２実施形態による液晶表示装置の第１液晶表示パネル及び収納容器の分解斜視図であり、図５は図４の第１液晶表示パネル及び収納容器をＩＩ‐ＩＩ’線に沿って切断した部分断面図である。図４及び図５に示すように、同一の部材については同一の参照番号を使用する。本実施形態において、収納容器及び第１モールドフレームを除いた残りの構成及び機能は第１実施形態と同一であるので、その重複した説明は省略する。
図４及び図５に示すように（図２も参照）、液晶表示装置２００はバックライト組立体１１０、第１液晶表示パネル１２０、第２液晶表示パネル１３０、テープパネル２４０、第２モールドフレーム１５０、第１光学シート１６０、第２光学シート１７０及び収納容器２８０を含む。
収納容器２８０は底板２８２、複数の側部拘束部材２８４及び複数の側壁２８６を含む。収納容器２８０の中央部には開口部２８８が形成される。
側部拘束部材２８４は、開口部２８８のエッジに沿って底板２８２から延長され第１収納空間を提供する。前記第１収納空間には第１液晶表示パネル１２０が収納される。
【００２１】
側壁２８６は底板２８２と一体に形成され、底板２８２から延長され第２収納空間を提供する。前記第２収納空間にはバックライト組立体１１０、第２液晶表示パネル１３０、第２モールドフレーム１５０、及び第１光学シート１６０及び第２光学シート１７０が収納される。
本実施形態において、第１液晶表示パネル１２０と収納容器２８０との間の間隔を調節する調節部材はテープパネル２４０である。
テープパネル２４０は、収納容器２８０の開口部２８８に隣接する底板２８２上に配置され、第１液晶表示パネル１２０及び収納容器２８０を結合する。テープパネル２４０は、例えば、第１サブテープパネル２４２、第１サブテープパネル２４２上に積層された間隔層２４４及び間隔層２４４上に積層された第２サブテープパネル２４６を含む。第１サブテープパネル２４２は第３厚さｔ３を有し、間隔層２４４及び底板２８２を結合する。第２サブテープパネル２４６は第５厚さｔ５を有し、間隔層２４４と第１液晶表示パネル１２０とを結合する。間隔層２４４は第４厚さｔ４を有し、第１サブテープパネル２４２と第２サブテープパネル２４６との間に介在され第１液晶表示パネル１２０を支持する。間隔層２４４は第１液晶表示パネル１２０を支持することができる材料、例えば、ポリエチレン・テレフタレート：ＰＥＴを含む。
【００２２】
収納容器２８０の底板２８２と第１液晶表示パネル１２０との間の間隔は、第３乃至第５厚さｔ３、ｔ４、ｔ５を調節することによって変化させることができる。特に、第１及び第２サブテープパネル２４２、２４６の第３及び第５厚さｔ３、ｔ５は比較的に薄いので、前記間隔は主として間隔層２４４の第４厚さｔ４を調節することによって変化させることができる。
本実施形態において、テープパネル２４０は第１サブテープパネル２４２、間隔層２４４及び第２サブテープパネル２４６を含むが、これに限らず、テープパネル２４０は他の層をさらに含んで収納容器２８０の底板２８２と、第１液晶表示パネル１２０との間の前記間隔を調節するようにすることもできる。例えば、間隔層２４４を比較的薄い層としてこれを必要によって複数枚使用することにより、前記間隔をより多様に調節することができる。
【００２３】
本実施形態によると、液晶表示装置のバックライト組立体と液晶表示パネルとの間に調節部材を置いて間隔を調節することができる。特に、液晶表示パネルを収納して支持するモールドフレームを具備する場合だけではなく、前記モールドフレームを具備することなく前記液晶表示パネルを装着する場合にも、前記液晶表示パネルを前記収納容器から必要な高さに離隔することができる。
【実施例３】
【００２４】
図６は本発明の第３実施形態による液晶表示装置の第１液晶表示パネル及び収納容器の分解斜視図であり、図７は図６の第１液晶表示パネル及び収納容器をＩＩＩ‐ＩＩＩ’線に沿って切断した断面図である。図６及び図７において、同一の部材については同一の参照番号を使用する。本実施形態において、収納容器を除いた残りの構成及び機能は第２実施形態と同一であるので、その重複する部分の詳細な説明は省略する。
図６及び図７に示すように（図２も参照）、液晶表示装置３００は、バックライト組立体１１０、第１液晶表示パネル１２０、第２液晶表示パネル１３０、突出部３４０、第２モールドフレーム１５０、第１光学シート１６０、第２光学シート１７０及び収納容器３８０を含む。
収納容器３８０は、底板３８２及び複数の側壁３８６を含む。収納容器３８０の中央部には開口部３８８が形成される。
【００２５】
本実施形態において、第１液晶表示パネル１２０と収納容器３８０との間の間隔を調節する調節部材は複数の突出部３４０である。
突出部３４０は収納容器３８０と一体に形成されることができる。また、突出部３４０の一側を底板３８２に接合し突出部３４０の他側を底板３８２から離れるように形成したものとすることができる。突出部３４０は開口部３８８のエッジに沿った部分において底板３８２から延長される。突出部３４０は、収納容器３８０から第１液晶表示パネル１２０の方向に第１高さｈ１まで延長された延長部３４２と、延長部３４２から第１液晶表示パネル１２０と実質的に平行の方向に延長されて第１液晶表示パネル１２０を支持する支持部３４４と、を含む。第１液晶表示パネル１２０は、支持部３４４上に位置し、その間に第６厚さｔ６を有するテープパネル３４６が配置され第１液晶表示パネル１２０及び突出部３４０を結合する。
【００２６】
収納容器３８０の底板３８２と、第１液晶表示パネル１２０との間の間隔は、第１高さｈ１及び第６厚さｔ６を調節することによって変化させることができる。特にテープパネル３４６の第６厚さｔ６は比較的薄いので、前記間隔は主として突出部３４０の第１高さｈ１を調節することによって変化させることができる。
収納容器３８０は、各突出部３４０に隣接する底板３８２上に一対の対向する側部拘束部材(図示せず)を追加の要素として含むことができる。前記側部拘束部材は、開口部３８８のエッジにそって底板３８２から延長され第１収納空間を提供することができ、前記第１収納空間には第１液晶表示パネル１２０が収納される。
収納容器３８０の側壁３８６は、底板３８２と一体に形成され、底板３８２から延長され第２収納空間を提供する。前記第２収納空間にはバックライト組立体１１０、第２液晶表示パネル１３０、第２モールドフレーム１５０、第１光学シート１６０及び第２光学シート１７０が収納される。
【００２７】
本実施形態において、収納容器３８０は一対の対向する突出部３４０を含むが、それぞれの突出部３４０に隣接する底板３８２上に一対の対向する突出部(図示せず)をさらに含むことができる。
本実施形態によると、液晶表示装置のバックライト組立体と液晶表示パネルとの間に調節部材を置いて間隔を調節することができる。また、モールドフレームを具備せず前記液晶表示パネルを装着する場合にも、前記液晶表示パネルを前記収納容器から必要な高さに離隔することができ、また前記調節部材を前記収納容器と一体に形成して製造工程を単純化することができる。
【実施例４】
【００２８】
図８は本発明の第４実施形態による液晶表示装置の断面図を示す。本実施形態において、収納容器の底板及び突出部を除いた残りの構成及び機能は第２実施形態と同一であるので、その重複する説明は省略する。
本実施形態において、突出部３４０ａは収納容器と一体に形成されることもでき、また、突出部３４０ａの両側を底板３８２ａに接合して設けることもできる。突出部３４０ａは開口部３８８のエッジ及び前記エッジから所定距離に離隔された位置に沿った部分で底板３８２ａから延長される。突出部３４０ａは底板３８２ａから第１液晶表示パネル１２０の方向に第２高さｈ２まで延長された延長部３４２ａ、及び延長部３４２ａを第１液晶表示パネル１２０と実質的に平行な方向に連結して第１液晶表示パネル１２０を支持する支持部３４４ａを含む。第１液晶表示パネル１２０は、支持部３４４ａ上に位置し、その間に第７厚さｔ７を有するテープパネル３４６ａが配置され第１液晶表示パネル１２０及び突出部３４０ａを結合する。
前記収納容器の底板３８２ａと第１液晶表示パネル１２０との間の間隔は、第２高さｈ２及び第７厚さｔ７を調節することによって変化させることができる。特に、テープパネル３４６ａの第７厚さｔ７は比較的薄いので、前記間隔は主として突出部３４０ａの高さｈ２を調節することによって変化させることができる。
【００２９】
一方、本実施形態による突出部３４０ａは、第３実施形態による突出部のように開口部に隣接する底板３８２ａ上に一対の対向する突出部３４０ａを含むことができ、またそれぞれの突出部３４０ａに隣接する底板３８２ａ上に一対の突出部３４０ａをさらに追加して含むことができる。また、本実施形態による突出部３４０ａは第１実施形態の第１モールドフレームの支持部上に形成することもできる。
本実施形態によると、液晶表示装置のバックライト組立体と液晶表示パネルとの間に調節部材をおいて間隔を調節することができる。また、モールドフレームを具備せず前記液晶表示パネルを装着する場合にも、前記液晶表示パネルを前記収納容器から必要な高さに離隔することができ、また前記調節部材を前記収納容器と一体に形成して製造工程を単純化することができる。
【００３０】
前述した本発明によると、表示装置のバックライト組立体と表示パネルユニットとの間に調節部材を置いて間隔を調節することができる。特に、小さい表示パネルを必要な高さに収納容器から離隔することで、前記表示パネルを浮き立たせることができ前記表示装置のデザインに対する要請を満たすことができる。
また、表示パネルを収納して支持するモールドフレームを具備する場合だけではなく、前記モールドフレームを具備することなく前記表示パネルを装着する場合にも、前記表示パネルを前記収納容器から必要な高さに離隔することができる。
また、前記調節部材を前記収納容器と一体に形成して製造工程を単純化することができる。
一方、液晶表示装置が前記した構造を有するようにし、前記液晶表示装置の液晶表示パネルを浮き立たせることができ、前記液晶表示装置のデザインに対する要請を満たすことができる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３１】
【図１】本発明による表示装置の概略図である。
【図２】本発明の第１実施形態による液晶表示装置の分解斜視図である。
【図３】図２の第１液晶表示パネル及び収納容器をＩ−Ｉ’線に沿って切断した部分断面図である。
【図４】本発明の第２実施形態による液晶表示装置の第１液晶表示パネル及び収納容器の分解斜視図である。
【図５】図４の第１液晶表示パネル及び収納容器をＩＩ−ＩＩ’線に沿って切断した部分断面図である。
【図６】本発明の第３実施形態による液晶表示装置の第１液晶表示パネル及び収納容器の分解斜視図である。
【図７】図６の第１液晶表示パネル及び収納容器をＩＩＩ−ＩＩＩ’線に沿って切断した部分断面図である。
【図８】本発明の第４実施形態による液晶表示装置の第１液晶表示パネル及び収納容器の部分断面図である。
【符号の説明】
【００３２】
１０      表示装置
１１      バックライト組立体
１２      第１表示パネル
１３      第２表示パネル
１４      調節部材
１００、２００、３００      液晶表示装置
１１０      バックライト組立体
１２０      第１液晶表示パネル
１３０      第２液晶表示パネル
１４０      第１モールドフレーム
１４２      支持部
１４４      側壁
１４６      テープパネル
１５０      第２モールドフレーム
１６０      第１光学部材
１７０      第２光学部材
１８０、２８０、３８０      収納容器
２４０      テープパネル
２４２      第１サブテープパネル
２４４      間隔層
２４６      第２サブテープパネル
３４０、３４０ａ      突出部
【図１】
2006119563.tif 000003
【図２】
2006119563.tif 000004
【図３】
2006119563.tif 000005
【図４】
2006119563.tif 000006
【図５】
2006119563.tif 000007
【図６】
2006119563.tif 000008
【図７】
2006119563.tif 000009
【図８】
2006119563.tif 000010